(57)【特許請求の範囲】
【請求項１】
複数の設定項目間での項目の切り換えと、各設定項目における複数の設定値の中の一つを選択することにより動作状態を設定するよう構成された電子内視鏡装置において、
第１の操作部材を設け、該第１の操作部材の操作毎に、前記複数の設定項目とそれぞれの項目における前記複数の設定値との組合せが所定の順序で選択されるよう構成されたことを特徴とする電子内視鏡装置。
【請求項２】
前記第１の操作部材に加えて、第２の操作部材を設け、該第２の操作部材の操作毎に、前記複数の設定項目とそれぞれの項目における前記複数の設定値との組合せが前記所定の順序とは異なる順序で選択されるよう構成されたことを特徴とする請求項１に記載の電子内視鏡装置。
【請求項３】
前記所定の順序とは異なる順序とは、前記所定の順序と逆の順序であることを特徴とする請求項２に記載の電子内視鏡装置。
【請求項４】
前記複数の設定項目とそれぞれの設定項目における前記複数の設定値との組合せは、前記複数の設定項目とそれぞれの項目における前記複数の設定値とのすべての組合せを含むことを特徴とする請求項１に記載の電子内視鏡装置。
【請求項５】
少なくとも自動調光モードと手動調光モードとの切り換えと、各調光モードにおける複数の調光設定値の中の一つを選択することにより調光状態を設定するよう構成された電子内視鏡装置において、
第１の操作部材を設け、該第１の操作部材の操作毎に、前記自動および手動調光モードとそれぞれの調光モードにおける前記複数の調光設定値との組合せが所定の順序で選択されるよう構成されたことを特徴とする電子内視鏡装置。
【請求項６】
前記第１の操作部材に加えて、第２の操作部材を設け、該第２の操作部材の操作毎に、前記自動および手動調光モードとそれぞれの調光モードにおける前記複数の調光設定値との組合せが前記所定の順序とは異なる順序で選択されるよう構成されたことを特徴とする請求項５に記載の電子内視鏡装置。
【請求項７】
前記電子内視鏡装置は、調光状態設定モードと通常動作モードで動作可能であり、前記第１の操作部材が前記調光状態設定モードにおいて操作された場合には前記自動および手動調光モードとそれぞれの調光モードにおける前記複数の調光設定値との組合せが所定の順序で選択され、前記通常動作モードにおいて操作された場合には、別の機能を果たすことを特徴とする請求項５または６に記載の電子内視鏡装置。
【請求項８】
前記第２の操作部材が前記調光状態設定モードにおいて操作された場合には前記自動および手動調光モードとそれぞれの調光モードにおける前記複数の調光設定値との組合せが前記所定の順序と異なる順序で選択され、前記通常動作モードにおいて操作された場合には、別の機能を果たすことを特徴とする請求項７に記載の電子内視鏡装置。
【請求項９】
前記第１の操作部材および前記第２の操作部材を同時に操作することにより、前記調光状態設定モードと前記通常動作モードとが切り換えられることを特徴とする請求項６から８のいずれかに記載の電子内視鏡装置。
【請求項１０】
前記自動調光モードは、平均値設定モードとピーク値設定モードを有し、該第１の操作部材の操作毎に、前記平均値設定モード、前記ピーク値設定モードおよび手動調光モードと、それぞれの調光モードにおける前記複数の調光設定値との組合せが所定の順序で選択されるよう構成されていることを特徴とする請求項５から９のいずれかに記載の電子内視鏡装置。
【請求項１１】
複数の設定項目間の項目切り換えと各設定項目における所定の設定値の変更を任意に行えるように構成された電子内視鏡装置において、
前記電子内視鏡の操作部に設けられた第１の操作部材と、
前記第１の操作部材の操作毎に、前記設定項目を所定の順序で循環変更すると共に、前記設定項目が所定の設定項目に一巡する毎に前記設定値を一定量変化させる制御手段と、
を有することを特徴とする電子内視鏡装置。
【請求項１２】
前記第１の操作部材に加えて、第２の操作部材を有し、前記制御手段は前記第２の操作部材の操作毎に、前記第１の操作部材の操作時とは逆の順序で前記設定項目を循環変更させると共に、前記設定項目が前記所定の設定項目に一巡する毎に、前記第１操作部材の操作時とは異なる方向に前記設定値を一定量変化させることを特徴とする請求項１１に記載の電子内視鏡装置。
【発明の詳細な説明】
【０００１】
【発明の属する技術分野】
本発明は電子内視鏡装置に関し、さらに詳しくは光源装置を備えた電子内視鏡装置において内視鏡のライトガイドに供給される照明光の調光状態を設定するための操作部材に関する。
【０００２】
【従来の技術】
従来より、電子内視鏡装置として、挿入部先端にＣＣＤ（Charge Coupled Device）を備えた電子内視鏡と、電子内視鏡内部に挿置されたライトガイドに照明光を供給する光源装置とを有するものが知られている。ＣＣＤから出力された観察対象部の映像信号は光源装置に含まれる信号処理回路を介してＣＲＴ等の表示装置に表示される。
【０００３】
このような電子内視鏡装置においては、表示装置に表示される観察画像の明るさを適正に保つため、すなわち、観察対象を適正な照明光で照明するために、ライトガイドに供給する照明光の光束量を適宜調整する必要がある。
【０００４】
一般に、照明光の光量の調整は、表示装置に表示される画像の明るさのレベルを設定するとそれに応じて光量を随時調整する自動調光と、観察対象を照明する光量を手動で設定する手動調光とがある。さらに自動調光には、画面全体の平均的な明るさを設定するモードと、画面中の最高輝度のレベルを規定するモードとがある。
【０００５】
これらの調光モードおよび調光レベルの設定は、光源装置上の操作スイッチによっても設定でき、また、電子内視鏡の操作部に設けられたスイッチによっても設定できるようになっている。
【０００６】
電子内視鏡の操作部に設けられたスイッチにより調光の設定を行う場合には、従来は、次のようにして設定を行っていた。
操作部には通常、表示画像を静止させるための静止画スイッチ、表示画像のハードコピーをプリントするためのプリントスイッチなど、複数のスイッチが設けられている。調光を行う場合には、まず、所定の操作により、内視鏡の動作モードを通常の観察モードから、調光状態の設定を行う調光モードに切り換える。動作モードが調光モードに切り換えられると、表示装置に調光の設定を行うためのメニューが表示画面に表示される。この時、例えば、上記の静止画スイッチおよびプリントスイッチが、表示画面に表示されたメニュー上でカーソルを移動させるスイッチとして機能する。
【０００７】
変更可能な設定項目として、一般に、輝度UP、輝度DOWN、自動／手動調光の切り換え、平均値／最高値の切り換えの４つの項目がある。
ここで自動調光とは、操作者が設定した輝度値で画像が表示されるように、自動的に調光が制御されるモードであり、モニタ上の画面の輝度の平均値が操作者の設定値に一致するように光量を調整する平均値モードと、モニタ上の画面の輝度の最大値が操作者の設定値と一致するように光量調整を行う最大値モードがある。手動調光は、観察対象を照明する光量を操作者が指定するモードである。
【０００８】
【発明が解決しようとする課題】
従来、例えば第１のスイッチの操作により上記設定項目の選択を行い、第２のスイッチにより、選択された項目内での設定値の変更を行う、というように、２つの操作スイッチの組み合わせにより、設定項目を選択し、選択された項目に関する設定値を変更するという構成が一般的であった。
【０００９】
例えば、輝度を高くする調整を行う場合には、まず第１のスイッチを操作して輝度UPという項目を選択し、次に第２のスイッチを操作して輝度を高くする。この操作のあと、観察モードに戻った時、輝度が高すぎた場合には、再び調光モードに移行した後、輝度DOWNの項目を第１のスイッチにより選択し、その設定値を第２のスイッチにより変更するという手順を踏む必要がある。あるいはまた、輝度UPを選択し輝度の設定値を変更する際、設定しようとしていた値を越えてしまったような場合にも、操作者は、第１のスイッチを操作して輝度DOWNを選択してから、第２のスイッチを操作して設定値を下げる必要があり、２つのスイッチの使い分け操作が煩わしく、操作者に負担をかける結果となっており、操作性の良い電子内視鏡装置が望まれていた。
【００１０】
上記の事情に鑑み、本発明は、内視鏡の操作者が、簡単な操作で調光の設定を変更できるような電子内視鏡装置を提供することを課題としている。
【００１１】
【課題を解決するための手段】
上記の課題を達成するため、本発明の電子内視鏡装置は、複数の設定項目間での設定項目の切り換えと、各設定項目における複数の設定値の中の一つを選択することにより動作状態を設定するよう構成された電子内視鏡装置において、第１の操作部材を設け、該第１の操作部材の操作毎に、前記複数の設定項目とそれぞれの設定項目における前記複数の設定値との組合せが所定の順序で選択されるよう構成されたことを特徴としている（請求項１）。従って、従来は複数の異なる設定項目を設定する複数の操作部材の操作により設定していた動作条件を、単一の操作部材の操作により設定することができる。
【００１２】
なお、前記第１の操作部材に加えて、第２の操作部材を設け、該第２の操作部材の操作毎に、前記複数の設定項目とそれぞれの設定項目における前記複数の設定値との組合せが前記所定の順序とは異なる順序で選択されるよう構成することができる（請求項２）。この場合、第１の操作部材と第２の操作部材は共に同一の設定値の候補を選択する際に、異なる順序で選択するものであり、従来の、複数の異なる設定項目の設定値をそれぞれの項目に対応した複数の操作部材で設定するものとは異なる構成である。
【００１３】
前記所定の順序とは異なる順序とは、前記所定の順序と逆の順序とすることができる（請求項３）。即ち、所定の順序で並べられた設定値の候補を、順方向と逆方向のどちらででも順次選択することができる。
【００１４】
なお、前記複数の設定項目とそれぞれの設定項目における前記複数の設定値との組合せは、前記複数の設定項目とそれぞれの設定項目における前記複数の設定値とのすべての組合せを含むようにすることができる（請求項４）。逆に、全ての組合せを含まない構成とすることも可能である。
【００１５】
特に、電子内視鏡装置における観察対象への照明光の調光に注目すれば、本発明の電子内視鏡装置は、少なくとも自動調光モードと手動調光モードとの切り換えと、各調光モードにおける複数の調光設定値の中の一つを選択することにより調光状態を設定するよう構成された電子内視鏡装置において、第１の操作部材を設け、該第１の操作部材の操作毎に、前記自動および手動調光モードとそれぞれの調光モードにおける前記複数の調光設定値との組合せが所定の順序で選択されるよう構成されたことを特徴としている（請求項５）。
【００１６】
従って、第１の操作部材の操作のみで、調光方式（自動調光・手動調光の別）を選択し、かつ選択した調光方式における明るさをも設定することができる。このため、内視鏡の操作者の負担が著しく軽減され、使い勝手の良い電子内視鏡装置を提供することが可能となる。
【００１７】
前記第１の操作部材に加えて、第２の操作部材を設け、該第２の操作部材の操作毎に、前記自動および手動調光モードとそれぞれの調光モードにおける前記複数の調光設定値との組合せが前記所定の順序とは異なる順序で選択されるよう構成することができる（請求項６）。
【００１８】
また、前記電子内視鏡装置は、調光状態設定モードと通常動作モードで動作可能であり、前記第１の操作部材が前記調光状態設定モードにおいて操作された場合には前記自動および手動調光モードとそれぞれの調光モードにおける前記複数の調光設定値との組合せが所定の順序で選択され、前記通常動作モードにおいて操作された場合には、別の機能を果たす構成とすることができる（請求項７）。従って、内視鏡に新たに操作部材を追加することなく、しかも操作者にとっては調光設定する際の負担の少ない電子内視鏡装置を提供することができる。
【００１９】
前記第２の操作部材が前記調光状態設定モードにおいて操作された場合には前記自動および手動調光モードとそれぞれの調光モードにおける前記複数の調光設定値との組合せが前記所定の順序と異なる順序で選択され、前記通常動作モードにおいて操作された場合には、別の機能を果たす構成とすることができる（請求項８）。
【００２０】
前記第１の操作部材および前記第２の操作部材を同時に操作することにより、前記調光状態設定モードと前記通常動作モードとが切り換えられるよう構成することができる（請求項９）。
【００２１】
なお、前記自動調光モードは、平均値設定モードとピーク値設定モードを有し、該第１の操作部材の操作毎に、前記平均値設定モード、前記ピーク値設定モードおよび手動調光モードと、それぞれの調光モードにおける前記複数の調光設定値との組合せが所定の順序で選択されるよう構成することが可能である（請求項１０）。
【００２２】
また、別の観点からは、本発明の電子内視鏡装置は、複数の設定項目間の項目切り換えと各設定項目における所定の設定値の変更を任意に行えるように構成され、前記電子内視鏡の操作部に設けられた第１の操作部材と、前記第１の操作部材の操作毎に、前記設定項目を所定の順序で循環変更すると共に、前記設定項目が所定の設定項目に一巡する毎に前記設定値を一定量変化させる制御手段と、
を有することを特徴としている（請求項１１）。
【００２３】
さらに、前記第１の操作部材に加えて、第２の操作部材を有し、前記制御手段は前記第２の操作部材の操作毎に、前記第１の操作部材の操作時とは逆の順序で前記設定項目を循環変更させると共に、前記設定項目が前記所定の設定項目に一巡する毎に、前記第１操作部材の操作時とは異なる方向に前記設定値を一定量変化させる構成とすることができる（請求項１２）。
【００２４】
【発明の実施の形態】
以下、図面を参照して本発明の実施の形態について説明する。
図１は、本発明の実施の形態としての電子内視鏡装置１００全体の概略構成を示すブロック図である。
【００２５】
電子内視鏡装置１００は、電子内視鏡１０、光源装置２０およびモニタ装置４９から構成されており、電子内視鏡１０は結合部６を介して光源装置２０と結合される。
電子内視鏡１０は、可撓性の導管からなる挿入部１を有し、挿入部１の先端には固体撮像素子としてのＣＣＤイメージセンサ３（以下、ＣＣＤと略す）、そしてＣＣＤ３の前方には対物レンズ系２が配設されている。対物レンズ系２により観察対象部の光学像がＣＣＤ３の受光面上に形成される。内視鏡１０の挿入部１には、光ファイバ束からなるライトガイド４が挿通されている。ライトガイド４の一端（光射出端）は挿入部１の端部に配置され、レンズ５を介して観察対象に対して光を照射する。ライトガイド４の他端の端面（光入射端面）は、電子内視鏡１０が光源装置２０と結合された状態で、集光レンズ２４に対向するようになっており、ランプ２２から射出された照明光は集光レンズ２４により光入射端面に集光され、入射する。
【００２６】
また、光源ランプ２２と集光レンズ２４との間には、ランプ２２から発せられた照明光の光量を調整するための可動絞り２５が配置されている。ランプ２２はいわゆる白色光を射出する光源である。また、面順次撮像用の照明を行うために、赤（Ｒ）、緑（Ｇ）、青（Ｂ）の三色のフィルタを順に照明光路中に挿入するように一定速度で回転駆動されるRGB回転フィルタ２３が、集光レンズ２４とライトガイド４の光入射端面との間に配置されている。
【００２７】
ランプ２２はランプ制御回路２７により駆動される。また、可動絞り２５は絞り駆動回路２８により駆動制御される。ランプ制御回路２７および絞り駆動回路２８は、光源装置２０内に設けられたマイコン（マイクロコンピュータ）制御部３０により動作制御されている。
【００２８】
結合部６には、ライトガイド４の光入射端、内視鏡１０に固有のパラメータ（ＣＣＤの画素数など）が格納されているＥＥＰＲＯＭ８が設けられている。ＥＥＰＲＯＭ８は、電子内視鏡１０が光源装置２０と結合されると、ケーブル８０によりマイコン制御部３０に接続されるようになっている。
【００２９】
ＣＣＤ３は、電子内視鏡１０が光源装置２０と結合されると、ケーブル３Ａにより映像信号処理部２１と接続されるようになっている。映像信号処理部２１の出力端にはモニタ４９が接続されており、ＣＣＤ３により出力された映像信号は、映像信号処理部２１において所定の信号処理が施され、モニタ４９に送られて、内視鏡観察像がモニタ４９に表示される。
【００３０】
図２は、マイコン制御部３０とその周辺の構成を示すブロック図である。マイコン制御部３０では、演算処理を行うための中央演算装置（ＣＰＵ）３１に接続されたシステムバス３２に、プログラムなどを格納した読み出し専用メモリ（ＲＯＭ）３３、作業領域として使用されるランダムアクセスメモリ（ＲＡＭ）３４、リアルタイムクロック（ＲＴＣ）３５、ＥＥＰＲＯＭ４５などが接続されている。
【００３１】
また、システムバス３２に接続されたＣＲＴコントーラ（ＣＲＴＣ）３７を通して、ビデオ用ランダムアクセスメモリ（ビデオＲＡＭ）３６に格納された表示用文字データと、映像信号処理部２１から出力される画像データとが合成されてモニタ４９に出力される。
【００３２】
光源装置２０のパネルスイッチ２０１、ランプ２２を制御するためのランプ制御回路２７及び外部のキーボード２０２は、各々入出力ポート３８、３９及び４０を介してシステムバス３２に接続されている。
【００３３】
パネルスイッチ２０１には、可動絞り２５を動作させ、照明光の光量を調整することによって行われる内視鏡映像の明るさ調節を、自動または手動のいずれで行うか選択する自／手切り換えスイッチや、内視鏡映像の明るさを例えば「−５」から「５」の１１段階に調整するための明るさアップスイッチおよびダウンスイッチなどが配置されている。
【００３４】
また、内視鏡１０のスコープスイッチ２００は、入出力ポート４２を介してシステムバス３２に接続されている。スコープスイッチ２００は、モニタ４９に表示されている画像を静止させる静止スイッチ２００Ａ、モニタ４９に表示されている画像の信号を図示しないインターフェースを介して外部機器に出力するためのコピースイッチ２００Ｂを有している。これらスコープスイッチ２００の操作はＣＰＵ３１に送られ、ＣＰＵ３１はスコープスイッチ２００の操作に応じてシステムバス３２を介して各回路を動作制御する。
【００３５】
上記静止スイッチ２００Ａとコピースイッチ２００Ｂは、通常の使用状態では上記の機能を有するが、静止スイッチ２００Ａとコピースイッチ２００Ｂとが同時に押されると、電子内視鏡装置１００の動作モードが、明るさ設定モードに移行する。
【００３６】
明るさ設定モードにおいては、静止スイッチ２００Ａとコピースイッチ２００Ｂを用いて、自動調光、手動調光の切換と、明るさの調節を行うことができる。
【００３７】
映像信号処理部２１は、また、ＣＣＤ３から受け取った映像信号に基づいて輝度信号を生成し、Ａ／Ｄ変換器２９に入力する。ＣＰＵ３１は、Ａ／Ｄ変換器２９によりデジタルデータに変換された輝度信号と、上記のパネルスイッチ２０１またはスコープスイッチ２００により設定された明るさとを比較し、輝度信号が設定された明るさになるよう明るさ設定回路２８を制御し、可動絞り２５を駆動して、照明光の光量を調整する。
【００３８】
次に、自動調光および手動調光について説明する。
自動調光には２つのモードがある。一つは、モニタ４９上の画面の輝度の平均値が操作者の設定値に一致するように光量を調整する平均値モードであり、もう一つは、モニタ４９上の画面の輝度の最大値が操作者の設定値と一致するように光量調整を行う最大値モードである。また、手動調光は、ライトガイド４に入射する光量を操作者が指定するモードである。
【００３９】
従って、自動調光（平均値モードまたは最大値モード）が選択されている場合には、ＣＰＵ３１は映像信号処理部２１から入力されＡ／Ｄ変換器２９により変換された輝度信号と、操作者の設定した明るさとに基づいて可動絞り２５を駆動制御する。一方、手動調光が選択されている場合には、ＣＰＵ３１は、輝度信号は参照せず、操作者が設定した明るさに対応した絞り値となるよう可動絞り２５を駆動制御する。
【００４０】
図３は、上記の各調光モードにおける設定値を示す表である。自動調光の平均値モード、最大値モード、および手動調光のそれぞれにおいて、明るさの指標として-5から＋5までの値を設定することが可能になっている。
【００４１】
調光で参照される設定値（自動調光・平均値モード／自動調光・最大値モード／手動調光モードの別および明るさ）は、パネルスイッチ２０１または、スコープスイッチ２００により変更することができる。
【００４２】
パネルスイッチ２０１にて上記の調光モードおよび明るさを設定する場合には、自動／手動切換スイッチにより調光モードを選択し、アップスイッチまたはダウンスイッチで設定値を上下させることにより所望の設定値を設定することができる。
【００４３】
一方、スコープスイッチ２００で調光モードおよび明るさの設定を変更するには、静止スイッチ２００Ａとコピースイッチ２００Ｂを同時に押すことにより内視鏡の動作モードを明るさ設定モードにし、次に静止スイッチ２００Ａまたはコピースイッチ２００Ｂのいずれか一方を操作することにより、調光モードと設定値の組み合わせを所定の順序で変更することができる。
【００４４】
図４は、静止スイッチ２００Ａとコピースイッチ２００Ｂを用いて上記の調光モードおよび明るさを設定する際に参照されるテーブルを示す。このテーブルは、ＥＥＰＲＯＭ４５に格納されている。図４において、調光レベルの項目中の文字ＡＶは自動調光・平均値モードを、ＡＰは自動調光・最大値モードを、そしてＭは手動調光モードを示し、調光モードを示すアルファベットの隣に記載されている数値は明るさの指標（図３参照）である。またＢＲは、静止スイッチ２００Ａまたはコピースイッチ２００Ｂの操作に対応して増減する変数である。
【００４５】
静止画スイッチ２００Ａまたはコピースイッチ２００Ｂが調光モードにおいて操作されると、ＣＰＵ３１は変数ＢＲをインクリメントまたはデクリメントする。ここでＢＲは−１６から＋１６までの整数値をとる変数であり、図４に示すように、ＢＲの値は図３に示す全ての調光モードと明るさの指標との組合せに、１対１で対応している。例えば、ＢＲ＝−１６であれば、調光の設定は自動調光・平均値モードで明るさが−５である。また、ＢＲ＝−１１であれば、手動調光であり明るさが−４と設定されていることを示している。
【００４６】
静止画スイッチ２００Ａが操作されると、ＢＲは現在の設定値に対応した値から１づつインクリメントされる。たとえば、現在の設定が、自動調光・最大値モードで明るさの設定が＋４であるとすれば、ＢＲ＝＋１２である。そして、この状態で静止画スイッチ２００Ａが２回押されると、ＢＲは＋１４となり、自動調光・平均値モード、明るさ＋５という設定が為されることになる。コピースイッチ２００Ｂが操作される場合には、ＢＲは１づつデクリメントされるようになっている。従って、静止画スイッチ２００Ａまたはコピースイッチ２００Ｂの操作のみで調光モード（自動・平均、自動・最大、手動）と明るさの値を設定することができる。さらに、静止スイッチ２００Ａとコピースイッチ２００Ｂとでは操作時の設定値の移行方向が逆になっているため、一方のスイッチで設定しようとした値を通り過ぎてしまっても、他方のスイッチにより容易に設定値を逆方向に変更することができるため、操作性が極めて良く、従来の装置に比べて、操作者の負担を大幅に軽減することができる。このように、同一のボタンを繰り返し操作することにより、調光の設定が所定の順に変更されていくため、内視鏡の操作者は、メニュー画面を表示させることなく、簡単に所望の調光設定を行うことができる。
【００４７】
なお、設定完了後は、再度静止スイッチ２００Ａとコピースイッチ２００Ｂを同時に押すことにより、電子内視鏡１０の動作モードを通常の観察モードに戻すことができる。
【００４８】
なお、上記の例では、静止画スイッチ２００Ａあるいはコピースイッチ２００Ｂを押す毎に調光モードと設定値との組み合わせが変更されるようになっているが、たとえば、静止画スイッチ２００Ａを押し続けた場合には、調光モードを変えず、明るさの設定のみが変更されるようにしてもよい。
【００４９】
なお、図４に示す例では、静止スイッチ２００Ａの操作毎に、設定値が同一のまま設定項目（自動調光・平均値モード、自動調光・最大値モード、手動調光）が順に切り替わり、設定項目が一巡する毎に設定値が一定量（１）ずつ増加するようになっている。同様に、コピースイッチ２００Ｂの操作毎に、設定値が同一のまま、設定項目（自動調光・平均値モード、自動調光・最大値モード、手動調光）が静止スイッチ２００Ａの操作時とは逆の順で切り替わり、設定項目が一巡する毎に設定値が一定量ずつ（１ずつ）減少するようになっている。
【００５０】
また、図４に示すテーブルは一例であり、設定項目である自動調光・平均値モード、自動調光・最大値モード、手動調光およびその値の順序は任意のものであってよい。
【００５１】
さらに、本実施の形態の電子内視鏡装置１００においては、図４に示すテーブルはＥＥＰＲＯＭ４５に格納されているため、電子内視鏡装置１００の操作者は、テーブルの内容を書き換えることにより、静止スイッチ２００Ａおよびコピースイッチ２００Ｂの操作により変更される調光の設定の値、順序を任意のものに変更することができる。
【００５２】
図４に示すテーブルを書き換える場合には、パネルスイッチ２０１の中の、ＥＥＰＲＯＭ書き換えモードスイッチを操作する。すると、制御部３０はＥＥＰＲＯＭ書き換えモードで動作し、モニタ４９には図４と同様のテープルが表示される。この状態で、操作者は、カーソル（図示せず）をテーブル上の変更しようとする設定値上に移動させ、キーボード２０２を操作して新たな設定値を入力することにより、テーブルを任意のものに変更することができる。
【００５３】
次に、フローチャートを参照して、静止画スイッチ２００Ａとコピースイッチ２００Ｂの操作とＢＲの値について説明する。
図５は、調光設定モードにおけるスイッチ操作に対応した処理を実行する際のフローチャートである。
【００５４】
ＣＰＵ３１は、図５のＳ１０においてスイッチが操作されたか否かを判定する。スイッチ操作が為されない場合には（Ｓ１０：ＮＯ）、Ｓ１１以降の処理はスキップして図５の処理を終了する。何らかのスイッチが操作された場合には（Ｓ１０：ＹＥＳ）、Ｓ１１において、静止画スイッチ２００Ａが操作されたか否かを判定する。静止画スイッチ２００Ａが操作された場合には、Ｓ１２のＢＲインクリメント処理（図６）を実行したのち、図５の処理を終了する。
【００５５】
また、Ｓ１１でＮＯと判定されると、Ｓ１３において、コピースイッチ２００Ｂが操作されたか否かを判定する。もしも、コピースイッチ２００Ｂが操作された場合には（Ｓ１３：ＹＥＳ）、Ｓ１４のＢＲデクリメント処理を実行する。
【００５６】
Ｓ１３でＮＯと判定された場合は、静止画スイッチ２００Ａ、コピースイッチ２００Ｂ以外のボタンが操作された場合であり、この時にはＳ１５において、操作されたボタンに対応した処理が実行される。
以上の処理が実行されると、図５の処理は終了する。なお、図５に示す処理は内視鏡のスイッチ操作を検出し、操作されたスイッチに対応した処理を実行するためのものであり、割り込み処理として、電子内視鏡装置１００のメインプログラム（図示せず）の実行中に、所定の時間間隔で繰り返し実行される処理である。
【００５７】
図６は、図５のスイッチ処理のＳ１２でコールされるサブルーチン、ＢＲインクリメント処理を説明するためのフローチャートである。
ＢＲインクリメント処理が開始されると、まずＳ１２１で、変数ＢＲが最大値（図４に示した例においてはＢＲの最大値は＋１６）に達しているか否かが判定される。ＢＲが最大値になっている場合には、Ｓ１２２、Ｓ１２３の処理をスキップして直ちに図６の処理を終了する。即ち、ＢＲが最大値に達した場合には、静止画スイッチ２０１を操作しても調光方式・明るさは変更されない。
【００５８】
ＢＲが最大値未満であれば（Ｓ１２１：ＮＯ）、Ｓ１２２でＢＲが１だけインクリメントされ、Ｓ１２３において、インクリメントされたＢＲに対応した調光方式・明るさが設定されるよう、ＣＰＵ３１は、明るさ設定回路２８を制御し、図６の処理を終了する。
【００５９】
図７は、図５のスイッチ処理のＳ１４でコールされるサブルーチン、ＢＲデクリメント処理を説明するためのフローチャートである。
ＢＲデクリメント処理が開始されると、まずＳ１４１で、変数ＢＲが最小値（図３、４に示した例においてはＢＲの最小値は−１６）に達しているか否かが判定される。ＢＲが最小値になっている場合には、Ｓ１４２、Ｓ１４３の処理をスキップして直ちに図７の処理を終了する。即ち、ＢＲが最小値に達した場合には、コピースイッチ２０２を操作しても調光方式・明るさは変更されない。
ＢＲが最小値より大きければば（Ｓ１４１：ＮＯ）、Ｓ１４２でＢＲが１だけデクリメントされ、ＣＰＵ３１は、Ｓ１４３において、デクリメントされたＢＲに対応した調光方式・明るさが設定されるよう、明るさ設定回路２８を制御した後、図７の処理を終了する。
【００６０】
以上のように、本発明の電子内視鏡装置によれば、内視鏡の操作者が容易に観察対象に対する照明光の調光方式および明るさを切り換えることができる。
なお、上記の実施の形態においては、スイッチの操作に応じて、図４に示した順序で調光の設定が変わるよう構成されているが、この順序はこれに限るものではなく、例えば、静止画スイッチを操作したときにＢＲが２ずつ増加し、コピースイッチを押したときにはＢＲが１ずつ減少するように構成するなど、様々な変形が可能である。また、ＢＲが増加すると、自動調光（平均値モード）、自動調光（最大値モード）、手動調光の順に調光方式が変わり、さらに調光方式が一巡した後に明るさが次の値に変わるようになっているが、ＢＲの増加と調光の設定値との組合せはこれに限られるものではなく、任意の設定とすることができる。
【００６１】
また、上記の実施の形態においては、モニタ装置４９に調光設定の変更が表示されるようになっているが、音声を利用して操作者に知らせる方法を採用したり、両者を併用するなど、様々な変形が可能である。
【００６２】
さらに、上記の実施の形態においては、調光設定を内視鏡のスコープスイッチ２００により変更する場合について説明したが、光源装置２００のパネルスイッチ２０１に設けられたスイッチを同様に機能させることも可能である。
【００６３】
また、上記実施の形態においては、調光の設定を変更する場合についてのみ説明したが、調光設定に限らず、様々な設定を調整する場合に応用することが可能である。すなわち、従来であれば第１の条件を設定する操作部材と、第２の条件を設定する操作部材とを設け、第１の操作部材と第２の操作部材を操作してある設定条件を設定しているような場合に、第１の条件と第２の条件との全ての組合せを単一の操作部材の操作により順次設定できるように構成すれば、内視鏡の操作者は、たとえ操作回数は増えるとしても、操作自体は非常に単純なものとなるため、容易に各種の設定を行うことができるようになる。
【図面の簡単な説明】
【図１】本発明の実施の形態の電子内視鏡装置の構成の概略を示すブロック図である。
【図２】本発明の実施の形態の電子内視鏡装置におけるマイコン制御部の構成を示すブロック図である。
【図３】各調光モードと明るさの指標を示す表である。
【図４】静止画スイッチおよびコピースイッチの操作により増減する変数ＢＲと調光設定との関係を示す表である。
【図５】スイッチ処理を説明するためのフローチャートである。
【図６】スイッチ処理でコールされるＢＲインクリメント処理を示すフローチャートである。
【図７】スイッチ処理でコールされるＢＲデクリメント処理を示すフローチャートである。
【符号の説明】
１００        電子内視鏡装置
１０          電子内視鏡
１            挿入部
２            対物レンズ
３            ＣＣＤ
４            ライトガイド
５            レンズ
６            結合部
８            ＥＥＰＲＯＭ
２００        スコープスイッチ
２００Ａ      静止画スイッチ
２００Ｂ      コピースイッチ
２０          光源装置
２１          映像信号処理部
２２          ランプ
２３          回転フィルタ
２４          集光レンズ
２５          可動絞り
２７          ランプ制御回路
２８          絞り駆動回路
３２          ＥＥＰＲＯＭ
４９          モニタ装置
【図１】
0004101933.tif 000002
【図２】
0004101933.tif 000003
【図３】
0004101933.tif 000004
【図４】
0004101933.tif 000005
【図５】
0004101933.tif 000006
【図６】
0004101933.tif 000007
【図７】
0004101933.tif 000008